(57)【要約】【課題】  放熱を制御する制御袋を用いないで放熱を抑制、促進することが可能な蓄熱床暖房装置をを提供すること。【解決手段】    仕上げ床等を載置する板部２と、適宜補強用のリブ６を上下方向に形成した中空箱形状の容器１０に蓄熱剤４を充填し形成され前記板部２の下方に設けられる板状の蓄熱材５と、板部２及び蓄熱材５とで挟まれる空間を閉塞して形成される中空部３と、中空部３内に設けられ蓄熱材５からの放熱量を制御する制御板７とからなる蓄熱床暖房装置１において、前記リブ６は容器１０の上面側及び下面側からそれぞれ凹所６３を対向させて形成し、制御板７を中空部３内で上下方向に遷移可能に設けるとともに、該リブ６の上側凹所内に蓄熱材５の温度に応じて上下方向に伸縮し制御板７の位置を遷移させる遷移手段８を設けてなることを特徴とする蓄熱床暖房装置１である。【選択図】図１
2005147631.tif 000002
【特許請求の範囲】
【請求項１】
仕上げ床等を載置する板部と、適宜補強用のリブを上下方向に形成した中空箱形状の容器に蓄熱剤を充填し形成され前記板部の下方に設けられる板状の蓄熱材と、板部及び蓄熱材とで挟まれる空間を閉塞して形成される中空部と、中空部内に設けられ蓄熱材からの放熱量を制御する制御板とからなる蓄熱床暖房装置において、前記リブは容器の上面側及び下面側からそれぞれ凹所を対向させて形成し、制御板を中空部内で上下方向に遷移可能に設けるとともに、該リブの上側凹所内に蓄熱材の温度に応じて上下方向に伸縮し制御板位置を遷移させる遷移手段を設けてなることを特徴とする蓄熱床暖房装置。
【請求項２】
遷移手段は、内部に温度に応じて変形する遷移体と、遷移体と組で用いられる弾性体とを有し、制御板を支持し前記遷移体及び弾性体との状態変化に応じて上下する軸体を遷移手段内に挿入し遷移体及び弾性体で係合してなる請求項１記載の蓄熱床暖房装置。
【請求項３】
軸体に鍔部を形成し、該鍔部を挟んで下側に遷移体を、上側に弾性体を設けたことを特徴とする請求項２記載の蓄熱床暖房装置。
【発明の詳細な説明】
【技術分野】
【０００１】
本発明は、一般住宅や集合住宅に用いられる蓄熱床暖房装置に関するものである。特には、蓄熱材からの放熱量を制御する機能を持つ蓄熱床暖房装置に関するものである。
【背景技術】
【０００２】
従来から、床暖房装置として電気ヒータで加熱するもの、温水ヒータにより加熱するものの他に、蓄熱材に蓄熱し、その放熱により加熱するものが用いられている。
【０００３】
その中で本発明者達は、例えば特開２０００−２２０８５６号公報等に見られるような放熱制御型の蓄熱床暖房装置を提案している。ここで放熱制御型という機能は、一般の蓄熱床暖房装置では、蓄熱後は蓄熱材の放熱特性に応じた放熱を行うのに対し、放熱制御機能を持ち、放熱特性以下に放熱量を制御する機能である。これにより気温の上がる日中に放熱量が多く、気温の下がる夕方から夜間に放熱量が必要量よりも少なくなることを防止することができる。
【０００４】
この放熱制御型の蓄熱床暖房装置は、箱状の蓄熱材の下面側に蓄熱材加熱用の平面ヒーターを設けた蓄熱ユニットと、該蓄熱ユニット上に設けられる床部と、該床部から垂下し蓄熱ユニットの周縁部分で蓄熱ユニットを懸架する側壁と、側壁で囲まれ床部及び蓄熱ユニットとで挟まれて形成される中空部と、中空部内に収められ必要に応じ膨縮する上面にアルミシートを貼着した制御袋とからなる蓄熱床暖房装置となっている。
【０００５】
一方前記蓄熱床暖房装置では、蓄熱材からの放熱を制御するために制御袋を用いているが、その膨縮には空気を出し入れする必要があり、ファンを用いて行っている。また制御袋が縮む際に全体に均一にならないおそれなどがあった。
【０００６】
そのため例えば特開２００３−２４７７２７号公報にある様に、制御袋を用いずに蓄熱材の放熱面積を変化させ、簡易的な放熱制御を行うことを行っている。
【０００７】
しかしながら蓄熱材に設けられるリブの数に依存した簡易的な放熱制御であるため、特開２０００−２２０８５６号公報に見られるような放熱抑制、促進方式の蓄熱床暖房装置とすることが望まれていた。
【特許文献１】特開２０００−２２０８５６号公報
【特許文献２】特開２００３−２４７７２７号公報
【発明の開示】
【発明が解決しようとする課題】
【０００８】
本願発明は、上記背景技術に鑑みて発明されたものであり、その課題は、放熱を制御する制御袋を用いないで放熱を抑制、促進することが可能な蓄熱床暖房装置を提供することである。
【課題を解決するための手段】
【０００９】
上記課題を解決するために、本願発明は、仕上げ床等を載置する板部と、適宜補強用のリブを上下方向に形成した中空箱形状の容器に蓄熱剤を充填し形成され前記板部の下方に設けられる板状の蓄熱材と、板部及び蓄熱材とで挟まれる空間を閉塞して形成される中空部と、中空部内に設けられ蓄熱材からの放熱量を制御する制御板とからなる蓄熱床暖房装置において、前記リブは容器の上面側及び下面側からそれぞれ凹所を対向させて形成し、制御板を中空部内で上下方向に遷移可能に設けるとともに、該リブの上側凹所内に蓄熱材の温度に応じて上下方向に伸縮し制御板位置を遷移させる遷移手段を設けてなる蓄熱床暖房装置としている。
【発明の効果】
【００１０】
本願発明の蓄熱床暖房装置においては、中空部内に設けられる制御板を同所内で上下方向に遷移させることで、蓄熱材からの放熱を抑制、又は促進することが可能となっている。特に、遷移を行わせる遷移手段が蓄熱材の温度を利用して遷移状態を変化させるので、別途ファンなどの外部装置を用いなくても安定して抑制状態、促進状態を切り替えることができる。
【発明を実施するための最良の形態】
【００１１】
本願発明の最良の形態を図１に示される以下の実施例にて説明する。なお図１は、本願発明の蓄熱床暖房装置の概略側面図であり、その要部を拡大したものが（ａ）及び（ｂ）である。なお、簡略化のため内部構成についても一部実線で表記している。
【００１２】
本実施例では、仕上げ床等を載置する板部２と、適宜補強用のリブ６を上下方向に形成した中空箱形状の容器１０に蓄熱剤４を充填し形成され前記板部２の下方に設けられる板状の蓄熱材５と、板部２及び蓄熱材５とで挟まれる空間を閉塞して形成される中空部３と、中空部３内に設けられ蓄熱材５からの放熱量を制御する制御板７とからなる蓄熱床暖房装置１において、前記リブ６は容器１０の上面側及び下面側からそれぞれ凹所６３を対向させて形成し、制御板７を中空部３内で上下方向に遷移可能に設けるとともに、該リブ６の上側凹所内に蓄熱材５の温度に応じて上下方向に伸縮し制御板７の位置を遷移させる遷移手段８を設けてなることを特徴とする蓄熱床暖房装置１としている。
【００１３】
この蓄熱床暖房装置１を実際に設置する場合には、板部２の周縁に設けられる係止部９を根太間に係合させ、蓄熱床暖房装置１を架設することで行う。そして複数の蓄熱床暖房装置１を並設していき、さらに板部２上に仕上げ床（図示せず）を載置する。
【００１４】
このように中空部３内に設けられる制御板７を同所内で上下方向に遷移させることで、蓄熱材５からの放熱を抑制、又は促進することが可能となっている。また、遷移を行わせる遷移手段８が蓄熱材５の温度を利用して遷移状態を変化させるので、別途ファンなどの外部装置を用いなくても安定して抑制状態、促進状態を切り替えることができる。
【００１５】
なお、蓄熱材５は板部２より略小さく形成され、蓄熱材５の容器１０に設けられるリブ６は、図示の様にすり鉢状の凹所６３を上下に重ね合わせた形状で、適宜容器１０に配される。
【００１６】
また中空部３は、図示の様に上方に向け広がった形状として、蓄熱材５からの放熱が板部２に広がり伝わる様にされている。この中空部３は蓄熱材５を吊着しているが、例えば蓄熱材５と中空部３とを一体に形成してもよい。なお、蓄熱材５の容器１０及び中空部３は樹脂成形品を用いている。
【００１７】
この中空部３内に設けられる制御板７として、本発明では下側にアルミ層７１を露出させたものを用いている。制御板７は、全体を形成する金属性の支持板７２下面にアルミ箔を貼着することでアルミ層７１を形成し、支持板上面は塗装層７３を設けて形成される。なお、アルミ層７１としてアルミ板を用いてもよいし、フィルムにアルミを蒸着形成したものを支持板下面に設けてもよい。なお、簡易的に制御板７全体をアルミ板で形成し、上面を塗装し塗装層７３を設けアルミが露出しない様にしても同様の制御板７を得ることができる。
【００１８】
なお、本実施例では制御板７の層構成は上述のようにしているが、層構成を逆にした場合には、放熱促進／放熱抑制の各状態における制御板７の位置が逆になる。
【００１９】
そして放熱抑制状態とは、制御板７が板部２下面に当接されて、アルミ層７１が中空部３内で露出されている遷移状態をいい、対して放熱促進状態とは、制御板７が蓄熱材に当接してアルミ層７１が中空部３内で隠蔽されている遷移状態を言う。これは空気とアルミとの熱放射率の違いを利用し、蓄熱材５からの放熱量を変化させている。なお、ここでは便宜的に放熱促進状態といっているが、これは通常の放熱状態をいい、特に通常より多く放熱が行われているわけではない。
【００２０】
この制御板７が中空部３内の中間部分に位置している場合は、中空部３内が上下に二分割された状態となり、仕切られた下側空間は放熱促進状態であるが、上側空間は放熱抑制状態になってしまい、どちらか一方の状態に比べ効率が悪くなるので、遷移状態としては、制御板７が板部２下面に当接している状態と蓄熱材５にに当接している状態の２状態を用意すればよい。
【００２１】
またこの遷移手段８は、その内部に温度に応じて変形する遷移体８５と、遷移体８５と組で用いられる弾性体８４とを有している。そして制御板７を支持し前記遷移体８５及び弾性体８４との状態変化に応じて上下する軸体８２を遷移手段８内に挿入し遷移体８５及び弾性体８４で係合している。その軸体８２には鍔部８３を形成し、該鍔部８３を挟んで下側に遷移体８５を、上側に弾性体８４を設けている。このようにすることで、制御板７を支持する軸体８２が蓄熱材５の温度変化に応じて遷移体８５の形状変化によって移動させることができる。なお、軸体８２の上端には平板状の保持板８１が形成されていて、制御板７が保持板８１上に載置されている。
【００２２】
本実施例を基に説明すると、蓄熱材５の温度が高く、放熱抑制状態にしなければならないときには、制御板７を板部２下面に当接させるように遷移体８５が鍔部８３部分を押し上げるように変形し、軸体８２を押し上げる。この遷移体８５の変形に伴い、弾性体８４は遷移手段８内で圧縮され変形する（図１（ｂ））。
【００２３】
次に蓄熱材５の温度が低くなってきて、蓄熱材５からの放熱を抑制しなくてもよくなったときは、遷移体８５の変形力が弱まり、代わって弾性体８４の復元力が勝る。そのため今度は弾性体８４が鍔部８３部分を押し下げるように復元し、併せて遷移体８５も基の形状に戻る。つまり軸体８２は押し下げられ、制御板７も下方に遷移する（図１（ａ））。なお、（ａ）（ｂ）共に、圧縮された状態を簡略図示している。
【００２４】
この遷移体８５の変形大きさ及び変形力と、弾性体８４の大きさ及び復元力の大きさを、蓄熱材５の大きさや放熱抑制及び促進の変化温度の設定は、適宜選択し行なわれる。
【００２５】
なお、本実施例では、遷移体８５及び弾性体８４はコイル状の形状をしていて、軸体８２をコイル形状の中に挿入している。遷移体８５としては、形状記憶合金を用いたものが一般に用いられるがこれに限定されず、例えばバイメタルなどの複合金属を用いることも考えられ、本発明の趣旨に合う形で適宜選択し用いられる。
【００２６】
弾性体８４についても同様で、放熱抑制状態と放熱促進状態との切り替え時に、遷移体８５の変形を行なえる力を有していればよく、形状も本実施例ではコイル形状だがこれに限定されず、例えば柱状形状の弾性体に軸体を貫通させてもよく、こちらも本発明の趣旨に合う形で適宜選択すればよい。
【００２７】
なお、本実施例は軸体８２のストロークを稼ぐためにリブ６の上下凹所６３を連通させる孔６２を凹所６３の底部６１に設けて軸体８２を貫通させているが、例えば多段式の軸体８２を使えば孔６２は必要無く、遷移体８５と弾性体８４の位置関係も、上下だけでなく、左右や同心円状など遷移手段８は種々の形状、方式が考えられる。
【図面の簡単な説明】
【００２８】
【図１】本願発明の一実施形態である蓄熱床暖房装置を示す概略図で、その要部を拡大し、（ａ）放熱促進状態を、（ｂ）放熱抑制状態を、それぞれ示している。
【符号の説明】
【００２９】
１  蓄熱床暖房装置
２  板体
３  中空部
４  蓄熱剤
５  蓄熱材
６  リブ
６１  底部
６２  孔
６３  凹所
７  制御板
７１  アルミ層
７２  支持板
７３  塗装層
８  遷移手段
８１  保持板
８２  軸体
８３  鍔部
８４  弾性体
８５  遷移体
９  係止部
１０  容器
【図１】
2005147631.tif 000003